(57)【要約】【課題】第一ラベルと第二ラベルとの貼り合わせを正確に行うことができるラベル用治具を提供する。【解決手段】ラベル用治具１は、第一規定部２１、第二規定部２２、および第三規定部２３を備える。第一規定部２１は、第一ラベルが搬送される第一搬送経路を規定する。第二規定部２２は、第一搬送経路よりも上側において、第二ラベルが搬送される第二搬送経路を規定する。第三規定部２３は、第一搬送経路および第二搬送経路のそれぞれの搬送方向下流側の端部に接続し、第一ラベルおよび第二ラベルが貼り合わされながら搬送される第三搬送経路を規定する。第一搬送経路の左端部と第二搬送経路の右端部とは、互いに上下方向に重なる。【選択図】図１
2019059594.tif 000002
【特許請求の範囲】
【請求項１】
帯状の第一ラベルおよび第二ラベルが所定の搬送方向に沿って搬送されながら、それぞれの幅方向の一端部が互いに貼り合わされるためのラベル用治具であって、
前記第一ラベルが搬送される経路である第一搬送経路を規定する第一規定部と、
前記第一搬送経路よりも前記搬送方向と直交する第一方向の一方である第二方向側において、前記第二ラベルが搬送される経路である第二搬送経路を規定する第二規定部と、
前記第一搬送経路および前記第二搬送経路のそれぞれの前記搬送方向の下流側の端部に接続し、前記第一ラベルおよび前記第二ラベルが貼り合わされながら搬送される経路である第三搬送経路を規定する第三規定部とを備え、
前記第一規定部は、
前記第一搬送経路上にある前記第一ラベルを前記第一方向の他方である第三方向側から支持する第一支持部と、
前記搬送方向および前記第一方向に直交する第四方向に間隔を空けて前記第一支持部から前記第二方向側に延び、前記第一搬送経路上にある前記第一ラベルの幅方向の移動を規制する一対の第一規制部とを備え、
前記第二規定部は、
前記第一支持部よりも前記第三方向側において、前記第二搬送経路上にある前記第二ラベルを前記第三方向側から支持する第二支持部と、
前記第四方向に間隔を空けて前記第二支持部から前記第二方向側に延び、前記第二搬送経路上にある前記第二ラベルの幅方向の移動を規制する一対の第二規制部とを備え、
前記第三規定部は、
前記第一支持部および前記第二支持部よりも前記搬送方向の下流側において、前記第三搬送経路上にある前記第一ラベルおよび前記第三搬送経路上にある前記第二ラベルを前記第三方向側から支持する第三支持部と、
前記第四方向に間隔を空けて前記第三支持部から前記第二方向側に延び、前記第三搬送経路上にある前記第一ラベルおよび前記第二ラベルのそれぞれの幅方向の移動を規制する一対の第三規制部とを備え、
前記第一搬送経路の前記第四方向の一方側の第一端部と前記第二搬送経路の前記第四方向の他方側の第二端部とは、互いに前記第一方向に重なることを特徴とするラベル用治具。
【請求項２】
前記第一端部と前記第二端部とが互いに重なる領域を前記搬送方向の下流側に仮想的に延長した領域を延長領域とした場合、
前記第三規定部は、
前記第三支持部のうち前記延長領域と前記第一方向に重なる領域の一部を前記第二方向側から覆い、前記第三搬送経路上にある前記第一ラベルおよび前記第二ラベルの前記第二方向側への移動を規制する第四規制部と、
前記第三支持部のうち前記延長領域と前記第一方向に重なる領域の一部を前記第二方向側に露出させる開口部とを備えたことを特徴とする請求項１に記載のラベル用治具。
【請求項３】
前記第四規制部は、前記第一方向に弾性変形可能であることを特徴とする請求項２に記載のラベル用治具。
【請求項４】
前記開口部は、前記第四規制部よりも前記搬送方向の上流側にあることを特徴とする請求項３に記載のラベル用治具。
【請求項５】
前記第二支持部の少なくとも一部を前記第二方向側から覆い、前記第二搬送経路上にある前記第二ラベルの前記第二方向側への移動を規制する第五規制部を備えたことを特徴とする請求項１から４のいずれかに記載のラベル用治具。
【請求項６】
前記第二支持部の前記第四方向の両端部のうち前記第一支持部側の端部には、前記第三方向に凹む凹部、または前記第三方向に貫通する孔部が設けられていることを特徴とする請求項１から５のいずれかに記載のラベル用治具。
【請求項７】
前記第二支持部の前記第四方向の両端部のうち前記第一支持部側の端部には、粘着層の剥離を容易化する処理が施されていることを特徴とする請求項１から５のいずれかに記載のラベル用治具。
【請求項８】
前記第二支持部の前記搬送方向の下流側の端部は、前記搬送方向の下流側に向かうに従って前記第二方向側に傾斜する方向に延びることを特徴とする請求項１から７のいずれかに記載のラベル用治具。
【請求項９】
前記第一ラベルと、
前記第二ラベルとを備え、
前記第一ラベルは、
片面が第一印刷面である第一台紙と、
前記第一台紙の前記第一印刷面とは反対側の面全体に設けられた第一粘着層と、
前記第一粘着層の全体に貼り付けられ、前記第一粘着層から剥離可能な第一剥離紙とを備え、
前記第二ラベルは、
片面が第二印刷面である第二台紙と、
前記第二台紙の前記第二印刷面とは反対側の面全体に設けられた第二粘着層と、
前記第二粘着層のうち前記第二ラベルの幅方向の一端部以外の部分に貼り付けられ、前記第二粘着層から剥離可能な第二剥離紙とを備えたことを特徴とする請求項１から８のいずれかに記載のラベル用治具。
【発明の詳細な説明】
【技術分野】
【０００１】
本発明は、２枚のラベルを貼り合わせるラベル用治具に関する。
【背景技術】
【０００２】
特許文献１に記載の印刷装置は、ラベルの一例である帯状のテープに、テープの幅を超える画像を印刷する場合に、画像を印刷するための印刷データを複数の部分データに分割し、生成された複数の部分データをテープの長手方向の複数の領域に分けて印刷する機能を備える。印刷装置が複数の部分データに従ってテープに印刷した後、ユーザは、複数の部分データのそれぞれに対応するテープを貼り合わせる。
【先行技術文献】
【特許文献】
【０００３】
【特許文献１】特開平１０−５８７５７号公報
【発明の概要】
【発明が解決しようとする課題】
【０００４】
上記印刷装置では例えば、一方のテープに設けられた粘着層を他方のテープに貼り合わせる接着作業を、ユーザが行うことが考えられる。ユーザが接着作業を手作業で行った場合、テープ同士の貼り合わせが不正確となる可能性がある。この場合、貼り合わせられたテープは外観不良となる可能性がある。
【０００５】
本発明の目的は、第一ラベルと第二ラベルとの貼り合わせを正確に行うことができるラベル用治具を提供することである。
【課題を解決するための手段】
【０００６】
本発明に係るラベル用治具は、帯状の第一ラベルおよび第二ラベルが所定の搬送方向に沿って搬送されながら、それぞれの幅方向の一端部が互いに貼り合わされるためのラベル用治具であって、前記第一ラベルが搬送される経路である第一搬送経路を規定する第一規定部と、前記第一搬送経路よりも前記搬送方向と直交する第一方向の一方である第二方向側において、前記第二ラベルが搬送される経路である第二搬送経路を規定する第二規定部と、前記第一搬送経路および前記第二搬送経路のそれぞれの前記搬送方向の下流側の端部に接続し、前記第一ラベルおよび前記第二ラベルが貼り合わされながら搬送される経路である第三搬送経路を規定する第三規定部とを備え、前記第一規定部は、前記第一搬送経路上にある前記第一ラベルを前記第一方向の他方である第三方向側から支持する第一支持部と、前記搬送方向および前記第一方向に直交する第四方向に間隔を空けて前記第一支持部から前記第二方向側に延び、前記第一搬送経路上にある前記第一ラベルの幅方向の移動を規制する一対の第一規制部とを備え、前記第二規定部は、前記第一支持部よりも前記第三方向側において、前記第二搬送経路上にある前記第二ラベルを前記第三方向側から支持する第二支持部と、前記第四方向に間隔を空けて前記第二支持部から前記第二方向側に延び、前記第二搬送経路上にある前記第二ラベルの幅方向の移動を規制する一対の第二規制部とを備え、前記第三規定部は、前記第一支持部および前記第二支持部よりも前記搬送方向の下流側において、前記第三搬送経路上にある前記第一ラベルおよび前記第三搬送経路上にある前記第二ラベルを前記第三方向側から支持する第三支持部と、前記第四方向に間隔を空けて前記第三支持部から前記第二方向側に延び、前記第三搬送経路上にある前記第一ラベルおよび前記第二ラベルのそれぞれの幅方向の移動を規制する一対の第三規制部とを備え、前記第一搬送経路の前記第四方向の一方側の第一端部と前記第二搬送経路の前記第四方向の他方側の第二端部とは、互いに前記第一方向に重なる。
【０００７】
上記ラベル用治具によれば、第三搬送経路が第一搬送経路および第二搬送経路のそれぞれの搬送方向下流側の端部に接続しているので、第一ラベルおよび第二ラベルは、それぞれ、第一搬送経路および第二搬送経路を通過すると、第三搬送経路上を搬送される。第二搬送経路が第一搬送経路よりも第一方向側にあり、且つ第一端部と第二端部とが互いに第一方向に重なっているので、第三搬送経路上では、第一ラベルの第四方向の一方側の端部の第二方向側に第二ラベルの第四方向の他方側の端部が重なり合う。これにより、ユーザは、第三搬送経路上にある第一ラベルおよび第二ラベルの各端部を貼り合せることができる。よって、ラベル用治具は、第一ラベルと第二ラベルとの貼り合わせを正確に行うことができる。
【図面の簡単な説明】
【０００８】
【図１】ラベル用治具１を右前上側から見た斜視図である。
【図２】図１のＸ−Ｘ線矢視方向の断面図である。
【図３】完成ラベル１０の背面図である。
【図４】ラベル用治具１の使用の流れを説明するためのラベル用治具１の平面図である。
【図５】図４の続きであり、ラベル用治具１の使用の流れを説明するためのラベル用治具１の平面図である。
【図６】図５の続きであり、ラベル用治具１の使用の流れを説明するためのラベル用治具１の平面図である。
【発明を実施するための形態】
【０００９】
本発明の一実施形態を、図面を参照して説明する。参照する図面は、本発明が採用しうる技術的特徴を説明するために用いられるものである。図面に記載されている装置の構成は、それのみに限定する趣旨ではなく、単なる説明例である。
【００１０】
図１、図２を参照し、ラベル用治具１の構成を説明する。以下の説明では、図１の左上側、右下側、左下側、右上側、上側、および下側を、それぞれ、ラベル用治具１の左側、右側、前側、後側、上側、および下側とする。各方向は単なる一例であり、ユーザは例えばラベル用治具１の上側をいずれの方向に向けて使用してもよい。図１は、部材により隠れいている主要部分を破線で示す。ラベル用治具１は、携行可能であり、帯状の第一ラベル８および第二ラベル９を搬送方向に沿って搬送しながら、それぞれの幅方向の一端部を貼り合わせることで１枚の完成ラベル１０を作成するために使用される（図２、図３参照）。搬送方向は、前側が上流側であり、後側が下流側である。
【００１１】
図１、図２に示すように、ラベル用治具１は、略直方体状であり、前面１１、後面１２、上面１３、下面１４、左面１５（図４参照）、および右面１６を備える。ラベル用治具１には、第一規定部２１、第二規定部２２、および第三規定部２３が設けられる。第一規定部２１は、右面１６の左側近傍とラベル用治具１の左右方向中央部の左側近傍との間で左右方向に延び、且つ前面１１から後方にラベル用治具１の前後方向略中央部まで延びる孔部である。第一規定部２１は、正面視で左右方向に長い矩形状であり、第一ラベル８が搬送される経路（以下、「第一搬送経路」という。）を規定する。第一搬送経路は、第一規定部２１の内壁によって囲まれる空間である。
【００１２】
第二規定部２２は、左面１５の右側近傍とラベル用治具１の左右方向中央部の右側近傍との間で左右方向に延び、且つ前面１１から後方にラベル用治具１の前後方向略中央部まで延びる孔部である。第二規定部２２は、正面視で左右方向に長い矩形状であり、第二ラベル９が搬送される経路（以下、「第二搬送経路」という。）を規定する。第二搬送経路は、第二規定部２２の内壁によって囲まれる空間である。
【００１３】
第二規定部２２は、第一規定部２１よりも上側に配置される。従って、第二搬送経路は、第一搬送経路よりも上側に配置される。第一規定部２１の左端部と第二規定部２２の右端部とは、互いに上下方向に重なる。従って、第一搬送経路の左端部と第二搬送経路の右端部とは、互いに上下方向に重なる。以下、第一搬送経路の左端部と第二搬送経路の右端部とが互いに上下方向に重なる領域を、「重なり領域Ｓ１」という（図４参照）。重なり領域を搬送方向下流側に仮想的に延長した領域を「延長領域Ｓ２」という（図４参照）。重なり領域Ｓ１および延長領域Ｓ２の左右方向の長さは、後述の第一ラベル８の第一貼付端部８２および第二ラベル９の第二貼付端部９２の左右方向の長さと略等しい（図４参照）。
【００１４】
第三規定部２３は、右面１６の左側近傍と左面１５の右側近傍との間で左右方向に延び、且つ後面１２から前方にラベル用治具１の前後方向略中央部まで延びる孔部である。第三規定部２３の前端部は、第一規定部２１および第二規定部２２の各後端部に連通する。従って、第三搬送経路は、第一搬送経路および第二搬送経路のそれぞれの搬送方向下流側の端部（すなわち、後端部）と接続する。第三規定部２３は、背面視で左右方向に長い矩形状であり、第一ラベル８および第二ラベル９が貼り合わされながら搬送される経路（以下、「第三搬送経路」という。）を規定する。第三搬送経路は、第三規定部２３の内壁によって囲まれる空間である。
【００１５】
第三規定部２３は、ラベル用治具１の前後方向中央よりも後側に配置される貫通孔２４を含む。貫通孔２４は、右面１６の左側近傍と左面１５の右側近傍との間で左右方向に延び、且つ上面１３から下方にラベル用治具１の上下方向略中央部まで延びる。貫通孔２４の下端部は、第三規定部２３の上端部に連通する。貫通孔２４は、平面視で左右方向に長い矩形状である。以下、貫通孔２４を形成する複数の壁のうち前側の壁を、「中間壁５０」という。中間壁５０は、ラベル用治具１の前後方向の略中央部において後側を向く。
【００１６】
第一規定部２１は、第一挿入口３１、第一接続口３３、第一支持壁４１、一対の第一規制壁５１Ａ、５１Ｂ、および第六規制壁５６（第二〜第五規制壁は後述する。）を備える。第一挿入口３１は、第一規定部２１によって形成される前面１１の開口である。第一接続口３３は、第一規定部２１によって形成される中間壁５０の開口である。第一支持壁４１は、第一規定部２１を形成する複数の壁のうち下側の壁である。
【００１７】
一対の第一規制壁５１Ａ、５１Ｂは、それぞれ、第一規定部２１を形成する複数の壁のうち右側の壁および左側の壁である。一対の第一規制壁５１Ａ、５１Ｂは、それぞれ、第一支持壁４１の左右両端部から上方に延び、互いに左右方向に対向する。一対の第一規制壁５１Ａ、５１Ｂの左右方向の間の距離は、第一ラベル８の幅（すなわち、左右方向の長さ）よりも僅かに大きい。第六規制壁５６は、第一規定部２１を形成する複数の壁のうち上側の壁である。第六規制壁５６は、一対の第一規制壁５１Ａ、５１Ｂのそれぞれの上端部の間を左右方向に延び、第一支持壁４１の全部を上側から覆う。第一支持壁４１と第六規制壁５６との上下方向の間の距離は、第一ラベル８の厚み（すなわち、上下方向の長さ）よりも大きい。
【００１８】
第二規定部２２は、第二挿入口３２、第二接続口３４、第二支持壁４２、一対の第二規制壁５２Ａ、５２Ｂ、および第五規制壁５５を備える。第二挿入口３２は、第二規定部２２によって形成される前面１１の開口である。第二接続口３４は、第二規定部２２によって形成される中間壁５０の開口である。第二支持壁４２は、第二規定部２２を形成する複数の壁のうち下側の壁であり、第一支持壁４１よりも上側に配置される。第二支持壁４２の搬送方向下流側の端部（すなわち、後端部４２Ａ）は、搬送方向下流側（すなわち、後側）に向かうに従って上側に傾斜する方向に延びる（図２参照）。第二支持壁４２の右端部には、下方に第一規定部２１まで延びる孔部２５が設けられる。孔部２５は、第二支持壁４２の右端部を前後方向の全部に亘って延びる。孔部２５の全部は、重なり領域Ｓ１の全部と上下方向に重なる。孔部２５には支持棒２６が設けられる。支持棒２６は、細い円柱状であり、孔部２５の前端部の上部において左右方向に延びる。
【００１９】
一対の第二規制壁５２Ａ、５２Ｂは、それぞれ、第二規定部２２を形成する複数の壁のうち右側の壁および左側の壁である。一対の第二規制壁５２Ａ、５２Ｂは、それぞれ、第二支持壁４２の左右両端部から上方に延び、互いに左右方向に対向する。一対の第二規制壁５２Ａ、５２Ｂの左右方向の間の距離は、第二ラベル９の幅よりも僅かに大きい。第五規制壁５５は、第二規定部２２を形成する複数の壁のうち上側の壁である。第五規制壁５５は、一対の第二規制壁５２Ａ、５２Ｂのそれぞれの上端部との間を左右方向に延び、第二支持壁４２の全部を上側から覆う。第二支持壁４２と第五規制壁５５との上下方向の間の距離は、第二ラベル９の厚みよりも大きい。
【００２０】
第三規定部２３は、排出口３６、第三支持壁４３、一対の第三規制壁５３Ａ、５３Ｂ、第四規制壁５４、および開口部３５を備える。排出口３６は、第三規定部２３によって形成される後面１２の開口である。第三支持壁４３は、第三規定部２３を形成する複数の壁のうち下側の壁である。第三支持壁４３は、第一支持壁４１および第二支持壁４２よりも搬送方向下流側において、第一支持壁４１と同一平面上に配置される。
【００２１】
一対の第三規制壁５３Ａ、５３Ｂは、それぞれ、第三規定部２３を形成する複数の壁のうち右側の壁および左側の壁である。一対の第三規制壁５３Ａ、５３Ｂは、それぞれ、第三支持壁４３の左右両端部から上方に延び、互いに左右方向に対向する。第三規制壁５３Ａの前端部は、第一規制壁５１Ａの後端部と接続する。第三規制壁５３Ｂの前端部は、第二規制壁５２Ｂの後端部と接続する。一対の第三規制壁５３Ａ、５３Ｂの左右方向の間の距離は、完成ラベル１０の幅よりも僅かに大きい。
【００２２】
第四規制壁５４は、第三規定部２３を形成する複数の壁のうち上側の壁である。第四規制壁５４は、一対の第三規制壁５３Ａ、５３Ｂのそれぞれの上端部の後部の間を左右方向に延び、第三支持壁４３の後端部を上側から覆う。従って、第四規制壁５４は、第三支持壁４３のうち延長領域Ｓ２と上下方向に重なる領域の一部を上側から覆う。第三支持壁４３と第四規制壁５４との上下方向の間の距離は、完成ラベル１０の最大厚み（すなわち、第一ラベル８および第二ラベル９のそれぞれの厚みの和）よりも大きい。第四規制壁５４は、樹脂等の弾性体で構成されおり、上下方向に弾性変形可能である。第四規制壁５４の上側のうち延長領域Ｓ２と上下方向に重なる部分は、押圧部５４Ａである。開口部３５は、貫通孔２４によって形成される上面１３の開口である。開口部３５は、第四規制壁５４よりも搬送方向上流側にあり、第三支持壁４３の後端部以外の部分を上側に露出させる。従って、開口部３５は、第三支持壁４３のうち延長領域Ｓ２と上下方向に重なる領域の一部を上側に露出させる。
【００２３】
図３を参照し、第一ラベル８および第二ラベル９を説明する。以下では、図３の左側、右側、紙面表側、紙面裏側、上側、および下側を、それぞれ、第一ラベル８および第二ラベル９の右側、左側、後側、前側、上側、および下側とする。第一ラベル８および第二ラベル９のそれぞれの幅方向は、左右方向である。第一ラベル８および第二ラベル９のそれぞれの長手方向は、前後方向である。第一ラベル８および第二ラベル９は、それぞれ、印刷装置（図示略）によって印刷面に印刷が行われて作成される。
【００２４】
第一ラベル８は、第一台紙８４、第一粘着層８５、および第一剥離紙８６を備える。第一台紙８４の片面（第一ラベル８の上面８１）は、第一印刷面である。第一粘着層８５は、第一台紙８４の第一印刷面とは反対側の面全体に設けられる。第一剥離紙８６は、第一粘着層８５から剥離可能に、第一粘着層８５の全体に貼り付けられる。
【００２５】
第二ラベル９は、第二台紙９４、第二粘着層９５、および第二剥離紙９６を備える。第二台紙９４の片面（第二ラベル９の上面９１）は、第二印刷面である。第二粘着層９５は、第二台紙９４の第二印刷面とは反対側の面全体に設けられる。第二剥離紙９６は、第二粘着層９５から剥離可能に、第二粘着層９５のうち第二ラベル９の右端部（以下、「第二貼付端部９２」という。）以外の部分に貼り付けられる。従って、第二貼付端部９２では、第二粘着層９５が露出する。
【００２６】
なお、ラベル用治具１の使用時までに第二貼付端部９２の第二粘着層９５が露出していればよい。すなわち、ラベル用治具１の使用前は、第二粘着層９５のうち第二貼付端部９２の部分には、第三剥離紙（図示略）が第二粘着層９５から剥離可能に貼り付けられていてもよい。
【００２７】
図２、図４〜図６を参照し、ラベル用治具１の使用の流れを説明する。図２、図４に示すように、ユーザは、第一ラベル８の長手方向が搬送方向と平行となり、下面８３が第一支持壁４１と対向し、且つ第一ラベル８の左端部（以下、「第一貼付端部８２」という。）が重なり領域Ｓ１に配置される姿勢で、第一ラベル８の搬送方向下流側の端部（すなわち、後端部）を第一挿入口３１から第一規定部２１に挿入する。これにより、第一ラベル８は、第一搬送経路上に配置される。第一搬送経路上にある第一ラベル８は、第一支持壁４１によって下側から支持され、一対の第一規制壁５１Ａ、５１Ｂ（図１参照）によって幅方向（左右方向）への移動が規制され、第六規制壁５６によって上側への移動が規制される。ユーザが第一ラベル８をさらに送ると、第一ラベル８の後端部は、第一接続口３３から排出されて第三規定部２３に挿入される。第三搬送経路が第一搬送経路の後端部に接続しているので、第一ラベル８の後端部は、第三搬送経路上に配置される。このとき、第三支持壁４３が第一支持壁４１と同一平面上に配置されているので、例えば第三支持壁４３が第一支持壁４１よりも上側に配置されている場合に比べて、第一ラベル８の後端部は、安定して第三搬送経路上に配置される。第一ラベル８の後端部は開口部３５から上方に露出する。
【００２８】
ユーザは、第二ラベル９の長手方向が搬送方向と平行となり、下面９３が第二支持壁４２と対向し、且つ第二貼付端部９２が重なり領域Ｓ１に配置される姿勢で、第二ラベル９の搬送方向下流側の端部（すなわち、後端部）を第二挿入口３２から第二規定部２２に挿入する。これにより、第二ラベル９は、第二搬送経路上に配置される。第二搬送経路上にある第二ラベル９は、第二支持壁４２によって下側から支持され、一対の第二規制壁５２Ａ、５２Ｂ（図１参照）によって幅方向への移動が規制され、第五規制壁５５によって上側への移動が規制される。ユーザが第二ラベル９をさらに送ると、第二ラベル９の後端部は、第二接続口３４から排出されて第三規定部２３に挿入される。第三搬送経路が第二搬送経路の後端部に接続しているので、第二ラベル９の後端部は、第三搬送経路上に配置される。第二支持壁４２は、後端部４２Ａが搬送方向下流側に向かうに従って上側に傾斜する方向に延びているので、第二ラベル９は、やや上向きで第二接続口３４から排出される（図２参照）。第一搬送経路の左端部の上側に第二搬送経路の右端部が重なっているので、第二ラベル９は、第二接続口３４から排出されると、第三搬送経路上にある第一ラベル８の上側に配置される。第二ラベル９の後端部は開口部３５から上方に露出する。
【００２９】
図５に示すように、ユーザは、開口部３５を介して、第一ラベル８の後端部および第二ラベル９の後端部の搬送方向位置を合わせる。この状態で、ユーザは、開口部３５を介して、第一ラベル８の上面８１のうち第一貼付端部８２に第二ラベル９の下面９３のうち第二貼付端部９２（すなわち、第二粘着層９５が露出している部分）を貼り合わせる。
【００３０】
図２、図６に示すように、ユーザは、互いに貼り合わされた第一ラベル８および第二ラベル９の各後端部が、第四規制壁５４の下側を通過し、排出口３６を介して僅かにラベル用治具１の外側に配置されるまで、第一ラベル８および第二ラベル９を送る。これにより、第一ラベル８および第二ラベル９は、第三搬送経路上に配置される。第三搬送経路上にある第一ラベル８および第二ラベル９は、第三支持壁４３によって下側から支持され、一対の第三規制壁５３Ａ、５３Ｂ（図１参照）によって幅方向への移動が規制され、第四規制壁５４によって上側への移動が規制される。
【００３１】
ユーザは、押圧部５４Ａを下方に向けて押圧する（図２の矢印Ｙ１参照）。第四規制壁５４は、下側に弾性変形し、第三支持壁４３との間で、第一貼付端部８２と第二貼付端部９２とが重なっている部分を挟み込む。ユーザは、第一ラベル８および第二ラベル９の貼り合わされた後端部を掴む。ユーザは、押圧部５４Ａを押圧した状態で、搬送方向上流側から下流側に向かって、排出口３６から第一ラベル８および第二ラベル９の貼り合わされた後端部を引き抜く（図２の矢印Ｙ２参照）。第一ラベル８および第二ラベル９は、第三搬送経路上において、搬送されながら、第一貼付端部８２と第二貼付端部９２とが互いに貼り合わされる。ユーザは、第一ラベル８および第二ラベル９の搬送方向上流側の端部（すなわち、前端部）が排出口３６からラベル用治具１の外側に排出されるまで、第一ラベル８および第二ラベル９を貼り合わせながら搬送する。このとき、支持棒２６によって第一貼付端部８２が下側から支持されているので、第一ラベル８は、孔部２５を介して第二規定部２２に進入することが抑制される。支持棒２６は細い円柱状なので、第一粘着層８５と接触しても第二ラベル９の搬送の抵抗となりがたい。よって、第二ラベル９の搬送が安定する。
【００３２】
以上説明したように、第一搬送経路は第一規定部２１によって規定される。第一搬送経路上にある第一ラベル８は、第一支持壁４１によって下側から支持され、一対の第一規制壁５１Ａ、５１Ｂによって幅方向（左右方向）への移動が規制されるので、第一搬送経路上において第一ラベル８の搬送が安定する。第二搬送経路は第二規定部２２によって規定される。第二搬送経路上にある第二ラベル９は、第二支持壁４２によって下側から支持され、一対の第二規制壁５２Ａ、５２Ｂによって幅方向への移動が規制されるので、第二搬送経路上において第二ラベル９の搬送が安定する。第三搬送経路は第三規定部２３によって規定される。第三搬送経路上にある第一ラベル８および第二ラベル９は、第三支持壁４３によって下側から支持され、一対の第三規制壁５３Ａ、５３Ｂによって幅方向への移動が規制されるので、第三搬送経路上において第一ラベル８および第二ラベル９の搬送が安定する。第三搬送経路が第一搬送経路および第二搬送経路のそれぞれの搬送方向下流側の端部に接続しているので、第一ラベル８および第二ラベル９は、それぞれ、第一搬送経路および第二搬送経路を通過すると、第三搬送経路上を搬送される。第二搬送経路が第一搬送経路よりも上側にあり、且つ第一搬送経路の右端部と第二搬送経路の左端部とが互いに上下方向に重なっているので、第三搬送経路上では、第一貼付端部８２の上側に第二貼付端部９２が重なり合う。これにより、ユーザは、第三搬送経路上にある第一ラベル８および第二ラベル９の第一貼付端部８２および第二貼付端部９２を互いに貼り合せることができる。よって、ラベル用治具１は、第一ラベル８と第二ラベル９との貼り合わせを正確に行うことができる。
【００３３】
第三搬送経路上にある第一ラベル８と第二ラベル９は、第四規制壁５４によって上側への移動が規制されるので、第三搬送経路上において第一ラベル８と第二ラベル９の搬送がさらに安定する。第三搬送経路上では第一ラベル８および第二ラベル９の貼り合わせが行われるので、第三搬送経路上における第一ラベル８および第二ラベル９の搬送が安定することで、ラベル用治具１は、第一ラベル８と第二ラベル９との貼り合わせをさらに正確に行うことができる。
【００３４】
第四規制壁５４が上下方向に弾性変形可能なので、押圧部５４Ａが下方に押圧されると、第四規制壁５４は第三支持壁４３との間で第一ラベル８と第二ラベル９を挟み込む。これにより、第一ラベル８と第二ラベル９の貼り合わせが行われる。よって、第四規制壁５４は、第一ラベル８と第二ラベル９の搬送を安定させると共に、第一ラベル８と第二ラベル９との貼り合わせを安定的に行うことができる。
【００３５】
開口部３５が第四規制壁５４よりも搬送方向上流側にあるので、ユーザは、第一ラベル８と第二ラベル９の貼り合わせを開始する前に、開口部３５を介して、第一ラベル８の後端部と第二ラベル９の後端部の搬送方向位置を合わせることができる。この状態で、第一ラベル８と第二ラベル９の貼り合わせを開始することで、ラベル用治具１は、第一ラベル８および第二ラベル９の搬送方向の位置ずれを抑制できる。
【００３６】
第一搬送経路上にある第一ラベル８は、第六規制壁５６によって上側への移動が規制されるので、第一搬送経路上において第一ラベル８の搬送がさらに安定する。第二搬送経路上にある第二ラベル９は、第五規制壁５５によって上側への移動が規制されるので、第二搬送経路上において第二ラベル９の搬送がさらに安定する。よって、ラベル用治具１は、第一ラベル８と第二ラベル９との貼り合わせをさらに正確に行うことができる。
【００３７】
第二ラベル９が第二搬送経路上を搬送される場合、第二粘着層９５が第二支持壁４２の右端部上を通過する。第二支持壁４２の右端部には、下方に貫通する孔部２５が設けられているので、第二粘着層９５が第二支持壁４２の右端部に接触し、第二ラベル９の搬送の抵抗になることが抑制される。よって、第二ラベル９の搬送がさらに安定するので、ラベル用治具１は、第一ラベル８と第二ラベル９との貼り合わせをさらに正確に行うことができる。
【００３８】
仮に、第二ラベル９が第二接続口３４から略水平に排出された場合、第二ラベル９の後端部はすぐに第三支持壁４３または第三搬送経路上にある第一ラベル８に接触する。この場合、例えば第二粘着層９５が第三支持壁４３または第三搬送経路上にある第一ラベル８に接着し、ユーザは第一ラベル８と第二ラベル９の各後端部の搬送方向位置を合わせることが困難となる。押圧部５４Ａよりも搬送方向上流側で第一ラベル８と第二ラベル９が接触すると、第一ラベル８と第二ラベル９の接着不良が生じる可能性がある。本実施形態では、後端部４２Ａが搬送方向下流側に向かうに従って上側に傾斜する方向に延びているので、第二ラベル９は、やや上向きで第二接続口３４から排出される。従って、第二ラベル９の後端部は、第二接続口３４から排出された後すぐには第三支持壁４３または第三搬送経路上にある第一ラベル８に接触することが抑制されるので、ユーザは第一ラベル８と第二ラベル９の各後端部の搬送方向位置を容易に合わせることができる。押圧部５４Ａよりも搬送方向上流側で第一ラベル８と第二ラベル９が接触することが抑制されるので、ラベル用治具１は、第一ラベル８と第二ラベル９との接着不良を抑制できる。
【００３９】
ラベル用治具１が第一ラベル８と第二ラベル９を備えるので、ラベル用治具１により第一ラベル８と第二ラベル９を貼り合わせて完成ラベル１０を作成した後、ユーザは、第一剥離紙８６と第二剥離紙９６を剥離して、完成ラベル１０を貼付対象物に貼り付けることができる。
【００４０】
本実施形態において、ラベル用治具１の上下方向が、本発明の「第一方向」に相当する。ラベル用治具１の上方が、本発明の「第二方向」に相当する。ラベル用治具１の下方が、本発明の「第三方向」に相当する。ラベル用治具１の左右方向が、本発明の「第四方向」に相当する。第一支持壁４１、第二支持壁４２、および第三支持壁４３が、それぞれ、本発明の「第一支持部」、「第二支持部」、および「第三支持部」に相当する。一対の第一規制壁５１Ａ、５１Ｂ、一対の第二規制壁５２Ａ、５２Ｂ、一対の第三規制壁５３Ａ、５３Ｂ、第四規制壁５４、および第五規制壁５５が、それぞれ、本発明の「一対の第一規制部」、「一対の第二規制部」、「一対の第三規制部」、「第四規制部」、および「第五規制部」に相当する。
【００４１】
本発明は、上記実施形態から種々の変更が可能である。例えば、第三規定部２３は、第四規制壁５４を備えなくてもよい。すなわち、第三規定部２３は、第三支持壁４３の全部が上方に露出していてもよい。この場合、ユーザは、例えば指で第三支持壁４３に第一貼付端部８２および第二貼付端部９２を押圧することで、第一ラベル８と第二ラベル９との貼り合わせを行うことができる。第一ラベル８および第二ラベル９の各後端部を視認しやすいので、ユーザは、各後端部の搬送方向位置を容易に合わせることができる。第二規定部２２は、第五規制壁５５を備えなくてもよい。すなわち、第二規定部２２は、第二支持壁４２の全部が上方に露出していてもよい。ラベル用治具１は、支持棒２６を備えなくてもよい。第二粘着層９５が支持棒２６に接触し、第二ラベル９の搬送の抵抗になることが抑制される。
【００４２】
第二支持壁４２の右端部には、孔部２５の代わりに下方に凹む凹部が設けられてもよい。第二支持壁４２の右端部には、孔部２５および凹部のいずれも設けられていなくてもよい。すなわち、第二支持壁４２の右端部は第二支持壁４２の右端部以外の部分と同一平面上にあってもよい。この場合、第二支持壁４２の右端部には、ローラ等が設けられてもよいし、粘着層の剥離を容易化する処理が施されていてもよい。粘着面の剥離を容易化する処理には、例えば、凹凸が施されるいわゆるエンボス加工、シリコン等の剥離剤によるコーティング、フッ素樹脂がコーティングされるいわゆるテフロン（登録商標）加工等がある。この場合、第二粘着層９５が第二支持壁４２の右端部に接触しても、第二ラベル９の搬送の抵抗になることが抑制される。よって、第二ラベル９の搬送が安定するので、ラベル用治具１は、第一ラベル８と第二ラベル９との貼り合わせを正確に行うことができる。
【００４３】
第一ラベル８および第二ラベル９は、それぞれ、第一粘着層８５および第二粘着層９５を備えなくてもよく、例えば自己粘着性を有するフィルムテープでもよい。第一ラベル８および第二ラベル９は、それぞれ、第一剥離紙８６および第二剥離紙９６をさらに備えなくてもよく、例えばラベル用治具１の使用前に粘着剤が第一貼付端部８２または第二貼付端部９２の少なくとも一方に塗布されてもよい。
【００４４】
一対の第一規制壁５１Ａ、５１Ｂの間、一対の第二規制壁５２Ａ、５２Ｂの間、および一対の第三規制壁５３Ａ、５３Ｂの間のそれぞれの左右方向距離は、第一ラベル８、第二ラベル９、および完成ラベル１０の幅に応じて調整可能であってもよい。第四規制壁５４のうち押圧部５４Ａの下側には、回転可能なローラが上下動可能に設けられてもよい。この場合、第一ラベル８および第二ラベル９の搬送の抵抗が抑制される。上記実施形態では、第四規制壁５４の全体が弾性変形可能であるが、第四規制壁５４のうち押圧部５４Ａの部分のみ、ゴム等の弾性体が設けられてもよい。第三支持壁４３は、第一支持壁４１と同一平面上になくてもよく、例えば第一支持壁４１よりも下側に配置されてもよい。
【符号の説明】
【００４５】
１    ラベル用治具
８    第一ラベル
９    第二ラベル
２１    第一規定部
２２    第二規定部
２３    第三規定部
２５    孔部
３５    開口部
４１    第一支持壁
４２    第二支持壁
４３    第三支持壁
５１Ａ、５１Ｂ    第一規制壁
５２Ａ、５２Ｂ    第二規制壁
５３Ａ、５３Ｂ    第三規制壁
５４    第四規制壁
５５    第五規制壁
８４    第一台紙
８５    第一粘着層
８６    第一剥離紙
９４    第二台紙
９５    第二粘着層
９６    第二剥離紙
【図１】
2019059594.tif 000003
【図２】
2019059594.tif 000004
【図３】
2019059594.tif 000005
【図４】
2019059594.tif 000006
【図５】
2019059594.tif 000007
【図６】
2019059594.tif 000008